【手続補正書】
【提出日】平成27年8月20日(2015.8.20)
【手続補正１】
【補正対象書類名】明細書
【補正対象項目名】００１０
【補正方法】変更
【補正の内容】
【００１０】
上記の目的を達成するため、本発明による画像処理装置は、光学系を介して入射した光学像に応じて得られた画像データにおいて倍率色収差に起因する色ズレを補正処理する画像処理装置であって、前記画像データの色ズレ量の情報と色ズレの検出精度を示す精度情報とを含む第１の色ズレ量データを格納する記憶手段と、前記画像データを解析して当該画像データにおける色ズレ量の情報と色ズレの検出精度を示す精度情報を含む第２の色ズレ量データを求める解析手段と、前記記憶手段から読み出した前記第１の色ズレ量データに含まれる前記精度情報と、前記解析手段によって求められた前記第２の色ズレ量データに含まれる前記精度情報に基づいて、前記第１の色ズレ量データと前記第２の色ズレ量データとから選択した前記色ズレ量の情報を用いて、前記画像データの色ズレを補正する補正手段と、を有することを特徴とする。
【手続補正２】
【補正対象書類名】明細書
【補正対象項目名】００１１
【補正方法】変更
【補正の内容】
【００１１】
本発明による制御方法は、光学系を介して入射した光学像に応じて得られた画像データにおいて倍率色収差に起因する色ズレを補正処理する画像処理装置の制御方法であって、前記画像データの色ズレ量の情報と色ズレの検出精度を示す精度情報とを含む第１の色ズレ量データをメモリに格納する記憶ステップと、前記画像データを解析して当該画像データにおける色ズレ量の情報と色ズレの検出精度を示す精度情報を含む第２の色ズレ量データを求める解析ステップと、前記メモリから読み出した前記第１の色ズレ量データに含まれる前記精度情報と、前記解析ステップで求められた前記第２の色ズレ量データに含まれる前記精度情報に基づいて、前記第１の色ズレ量データと前記第２の色ズレ量データとから選択した前記色ズレ量の情報を用いて、前記画像データの色ズレを補正する補正ステップと、を有することを特徴とする。
【手続補正３】
【補正対象書類名】明細書
【補正対象項目名】００１２
【補正方法】変更
【補正の内容】
【００１２】
本発明による制御プログラムは、光学系を介して入射した光学像に応じて得られた画像データにおいて倍率色収差に起因する色ズレを補正処理する画像処理装置で用いられる制御プログラムであって、前記画像処理装置が備えるコンピュータに、前記画像データの色ズレ量の情報と色ズレの検出精度を示す精度情報とを含む第１の色ズレ量データをメモリに格納する記憶ステップと、前記画像データを解析して当該画像データにおける色ズレ量の情報と色ズレの検出精度を示す精度情報を含む第２の色ズレ量データを求める解析ステップと、前記メモリから読み出した前記第１の色ズレ量データに含まれる前記精度情報と、前記解析ステップで求められた前記第２の色ズレ量データに含まれる前記精度情報に基づいて、前記第１の色ズレ量データと前記第２の色ズレ量データとから選択した前記色ズレ量の情報を用いて、前記画像データの色ズレを補正する補正ステップと、を実行させることを特徴とする。
【手続補正４】
【補正対象書類名】明細書
【補正対象項目名】００４２
【補正方法】変更
【補正の内容】
【００４２】
シャッターボタン１１２が全押し操作されると（ステップＳ３０４において、ＹＥＳ）、撮影画像解析部２０２はシステム制御部１０７の制御下で、色ズレ量と色ズレ検出精度を算出する（ステップＳ３０５：色ズレ量解析）。撮影画像解析部２０２は、撮影の結果ＲＡＭ１１０に保存されたＲＡＷ画像データを、図５に示す処理単位ブロック（以下単に処理ブロックともいう）で画面左上から水平方向に順次読み出し、処理ブロック毎に色ズレ量と色ズレ検出精度を算出する。
【手続補正５】
【補正対象書類名】特許請求の範囲
【補正対象項目名】全文
【補正方法】変更
【補正の内容】
【特許請求の範囲】
【請求項１】
光学系を介して入射した光学像に応じて得られた画像データにおいて倍率色収差に起因する色ズレを補正処理する画像処理装置であって、
前記画像データの色ズレ量の情報と色ズレの検出精度を示す精度情報とを含む第１の色ズレ量データを格納する記憶手段と、
前記画像データを解析して当該画像データにおける色ズレ量の情報と色ズレの検出精度を示す精度情報を含む第２の色ズレ量データを求める解析手段と、
前記記憶手段から読み出した前記第１の色ズレ量データに含まれる前記精度情報と、前記解析手段によって求められた前記第２の色ズレ量データに含まれる前記精度情報に基づいて、前記第１の色ズレ量データと前記第２の色ズレ量データとから選択した前記色ズレ量の情報を用いて、前記画像データの色ズレを補正する補正手段と、
を有することを特徴とする画像処理装置。
【請求項２】
前記補正手段により選択される前記色ズレ量の情報である第３の色ズレ量データを生成する生成手段を有することを特徴とする請求項１に記載の画像処理装置。
【請求項３】
前記記憶手段に記憶された前記第１の色ズレ量データを、前記第３の色ズレ量データで更新する更新手段を有することを特徴とする請求項２に記載の画像処理装置。
【請求項４】
前記解析手段は前記画像データの像高毎に、前記色ズレ量と前記精度情報を求めることを特徴とする請求項１乃至３のいずれか１項に記載の画像処理装置。
【請求項５】
前記解析手段は前記画像データを複数の処理単位ブロックに分割して、当該処理単位ブロックの各々について前記色ズレ量と前記精度情報を求めることを特徴とする請求項１乃至４のいずれか１項に記載の画像処理装置。
【請求項６】
解析手段はエッジが含まれる処理単位ブロックの数と前記色ズレ量の標準偏差とに応じて前記精度情報を求めることを特徴とする請求項４又は５に記載の画像処理装置。
【請求項７】
前記記憶手段には、前記光学系の焦点距離およびピントの合っている被写体までの距離を示す撮影距離に応じて複数の第１の色ズレ量データが保存されており、
前記画像データが撮影された際の撮影情報に応じて前記記憶手段から前記第１の色ズレ量データを取得する取得する取得手段を有することを特徴とする請求項１乃至６のいずれか１項に記載の画像処理装置。
【請求項８】
前記生成手段は、前記第１の色ズレ量データと前記第２の色ズレ量データにおける検出精度を比較し、前記検出精度が高い色ズレ量で前記第１の色ズレ量データを更新して前記第３の色ズレ量データを生成することを特徴する請求項２に記載の画像処理装置。
【請求項９】
前記検出精度は、色ズレ量の情報の検出数に基づいて求められることを特徴とする請求項８に記載の画像処理装置。
【請求項１０】
前記生成手段は、第１の色ズレ量データおよび第２の色ズレ量データにおける色ズレ量を加算平均して前記第３の色ズレ量データを生成することを特徴とする請求項２に記載の画像処理装置。
【請求項１１】
前記解析手段は前記画像データの中心を基点として分割した複数の画像領域の各々について前記色ズレ量および前記検出精度を求めてその平均値を前記色ズレ量データとする請求項１に記載の画像処理装置。
【請求項１２】
前記記憶手段は、前記光学系を設計した際の設計値に応じて求められた色ズレ量データを色ズレ量設計値データとして保存するとともに前記第１の色ズレ量データを保存し、
前記生成手段は、前記第１の色ズレ量データの前記検出精度および前記第２の色ズレ量データの前記検出精度が所定の検出閾値に満たないと、前記色ズレ量設計値データを前記第３の色ズレ量データとすることを特徴とする請求項２に記載の画像処理装置。
【請求項１３】
光学系を介して入射した光学像に応じて得られた画像データにおいて倍率色収差に起因する色ズレを補正処理する画像処理装置の制御方法であって、
前記画像データの色ズレ量の情報と色ズレの検出精度を示す精度情報とを含む第１の色ズレ量データをメモリに格納する記憶ステップと、
前記画像データを解析して当該画像データにおける色ズレ量の情報と色ズレの検出精度を示す精度情報を含む第２の色ズレ量データを求める解析ステップと、
前記メモリから読み出した前記第１の色ズレ量データに含まれる前記精度情報と、前記解析ステップで求められた前記第２の色ズレ量データに含まれる前記精度情報に基づいて、前記第１の色ズレ量データと前記第２の色ズレ量データとから選択した前記色ズレ量の情報を用いて、前記画像データの色ズレを補正する補正ステップと、
を有することを特徴とする制御方法。
【請求項１４】
光学系を介して入射した光学像に応じて得られた画像データにおいて倍率色収差に起因する色ズレを補正処理する画像処理装置で用いられる制御プログラムであって、
前記画像処理装置が備えるコンピュータに、
前記画像データの色ズレ量の情報と色ズレの検出精度を示す精度情報とを含む第１の色ズレ量データをメモリに格納する記憶ステップと、
前記画像データを解析して当該画像データにおける色ズレ量の情報と色ズレの検出精度を示す精度情報を含む第２の色ズレ量データを求める解析ステップと、
前記メモリから読み出した前記第１の色ズレ量データに含まれる前記精度情報と、前記解析ステップで求められた前記第２の色ズレ量データに含まれる前記精度情報に基づいて、前記第１の色ズレ量データと前記第２の色ズレ量データとから選択した前記色ズレ量の情報を用いて、前記画像データの色ズレを補正する補正ステップと、
を実行させることを特徴とする制御プログラム。